(57)【要約】  ピーク抑圧処理に係る回路規模の増大を抑える。入力信号の波形のピーク値を判定するピーク判定部と、ピーク値の絶対値が所定値より大きい場合にピーク値と所定値との差分に応じたインパルス信号を発生させるインパルス信号発生部と、発生したインパルス信号に所定のインパルス応答波形を乗算してピーク抑圧信号を生成する乗算部と、ピーク抑圧信号を入力信号から差し引く減算部と、を備える。
2010061914.tif 000002
【特許請求の範囲】
【請求項１】
入力信号の波形のピーク値を判定するピーク判定部と、
前記ピーク値の絶対値が所定値より大きい場合に前記ピーク値と前記所定値との差分に応じたインパルス信号を発生させるインパルス信号発生部と、
発生した前記インパルス信号に所定のインパルス応答波形を乗算してピーク抑圧信号を生成する乗算部と、
前記ピーク抑圧信号を前記入力信号から差し引く減算部と、
を備えることを特徴とするピーク抑圧装置。
【請求項２】
前記ピーク判定部は、前記入力信号の波形の絶対値が所定の時間幅内で最も大きくなる値を前記ピーク値として判定することを特徴とする請求項１記載のピーク抑圧装置。
【請求項３】
前記所定のインパルス応答波形は、前記入力信号の帯域に対応した一連の係数を有することを特徴とする請求項１記載のピーク抑圧装置。
【請求項４】
前記係数は、前記入力信号の複数の帯域にそれぞれ対応した複数組からなり、複数組の一つを外部から選択可能とされることを特徴とする請求項３記載のピーク抑圧装置。
【請求項５】
請求項１乃至４のいずれか一に記載のピーク抑圧装置を多段に直列接続したことを特徴とするピーク抑圧装置。
【請求項６】
請求項１乃至５のいずれか一に記載のピーク抑圧装置を備える送信機。
【請求項７】
入力信号の波形のピーク値を判定するステップと、
前記ピーク値の絶対値が所定値より大きい場合に前記ピーク値と前記所定値との差分に応じたインパルス信号を発生させるステップと、
発生した前記インパルス信号に所定のインパルス応答波形を乗算してピーク抑圧信号を生成するステップと、
前記ピーク抑圧信号を前記入力信号から差し引くステップと、
を含むことを特徴とするピーク抑圧方法。
【発明の詳細な説明】
【技術分野】
【０００１】
（関連出願についての記載）
本発明は、日本国特許出願：特願２００８−３０４１６５号（２００８年１１月２８日出願）の優先権主張に基づくものであり、同出願の全記載内容は引用をもって本書に組み込み記載されているものとする。
本発明は、ピーク抑圧装置およびピーク抑圧方法に係り、特に、Ｗ−ＣＤＭＡ等の通信用変調波信号に対するピーク抑圧（Ｃｒｅｓｔ  Ｆａｃｔｏｒ  Ｒｅｄｕｃｔｉｏｎ、ＣＦＲ）技術に係る。
【背景技術】
【０００２】
高速無線伝送を実現する通信方式として、Ｗ−ＣＤＭＡなどの変調方式が広く用いられている。これらの変調方式では、高いピーク電力が生じ、送信アンプの電力利用効率にとっては不利となる。そこで、ピーク電力を抑圧するクリッピング処理が行われることがある。この場合、クリッピング処理によって帯域外の不要波が発生するので、不要波を抑圧する処理がなされる。【０００３】
例えば、特許文献１では、入力信号を帯域制限する参照フィルタと、参照フィルタの出力信号の振幅成分が設定値を超過した場合に超過分に比例する振幅を有するインパルス信号を出力する振幅制御部と、遅延させた入力信号から振幅制御部の出力信号を減算する減算器を備えている。そして減算器の出力には帯域制限フィルタを接続することで、不要波を抑圧する。【０００４】
また、特許文献２では、入力信号にピーク抑圧率をかけてピーク抑圧信号を生成している。この処理は基本的に非線形処理であるためスペクトラムの劣化を招く。したがって、その後にフィルタを通して不要波を抑圧する必要がある。
【先行技術文献】
【特許文献】
【０００５】
【特許文献１】特開２００４−１７９８１３号公報
【特許文献２】特開２００８−０４７９５９号公報
【発明の概要】
【発明が解決しようとする課題】
【０００６】
上記特許文献１及び２の全開示内容はその引用をもって本書に繰込み記載する。以下の分析は本発明において与えられる。【０００７】
従来のクリッピング処理（ピーク抑圧処理）では、帯域外の不要波を抑圧するためにフィルタを設ける。その際に、もとの入力信号に影響を与え、ＥＶＭ(Error Vector Magnitude)の劣化が生じる可能性がある。もとの入力信号に影響のないように、急峻なフィルタを作ろうとすれば、回路規模が増大するという問題が生じる。【０００８】
したがって、本発明の目的は、回路規模の増大を抑えたピーク抑圧装置及びピーク抑圧方法を提供することにある。
【課題を解決するための手段】
【０００９】
本発明の１つのアスペクト（側面）に係るピーク抑圧装置は、入力信号の波形のピーク値を判定するピーク判定部と、ピーク値の絶対値が所定値より大きい場合にピーク値と所定値との差分に応じたインパルス信号を発生させるインパルス信号発生部と、発生したインパルス信号に所定のインパルス応答波形を乗算してピーク抑圧信号を生成する乗算部と、ピーク抑圧信号を入力信号から差し引く減算部と、を備える。【００１０】
本発明の他のアスペクト（側面）に係るピーク抑圧方法は、入力信号の波形のピーク値を判定するステップと、ピーク値の絶対値が所定値より大きい場合にピーク値と所定値との差分に応じたインパルス信号を発生させるステップと、発生したインパルス信号に所定のインパルス応答波形を乗算してピーク抑圧信号を生成するステップと、ピーク抑圧信号を入力信号から差し引くステップと、を含む。
【発明の効果】
【００１１】
本発明によれば、回路規模の増大を抑えられる。
【図面の簡単な説明】
【００１２】
【図１】本発明の実施形態に係る基地局用ＲＦ送信部の構成を示す図である。
【図２】本発明の実施形態に係るピーク抑圧装置の構成を示す図である。
【図３】本発明の第１の実施例に係るピーク抑圧装置の構成を示すブロック図である。
【図４】本発明の第１の実施例に係る係数設定部の構成を示すブロック図である。
【図５】第１の係数群に対応する帯域を示す図である。
【図６】第１の係数群に対応するインパルス応答波形を示す図である。
【図７】第２の係数群に対応する帯域を示す図である。
【図８】第２の係数群に対応するインパルス応答波形を示す図である。
【図９】第３の係数群に対応する帯域を示す図である。
【図１０】第３の係数群に対応するインパルス応答波形を示す図である。
【図１１】第４の係数群に対応する帯域を示す図である。
【図１２】第４の係数群に対応するインパルス応答波形を示す図である。
【図１３】４つのインパルス応答波形の周波数特性を示す図である。
【図１４】本発明の第２の実施例に係るピーク抑圧装置の構成を示すブロック図である。
【発明を実施するための形態】
【００１３】
図１は、本発明の実施形態に係る基地局用ＲＦ送信部の構成を示す図である。基地局用ＲＦ送信部は、ベースバンド信号発生器１、ピーク抑圧装置２、プリディストーション部３、ＤＡ変換器４、アップコンバータ５、パワーアンプ６を備える。
【００１４】
ベースバンド信号発生器１は、ベースバンド信号となるＷ−ＣＤＭＡ等の通信用変調波信号をピーク抑圧装置２に出力する。ピーク抑圧装置２は、通信用変調波信号の波形のピーク部分を抑圧する。プリディストーション部３は、ピーク部分の抑圧された信号に対し、アンプの歪みと逆の特性をもつ信号をデジタル信号処理で生成し線形化を行い、ＤＡ変換器４に出力する。ＤＡ変換器４は、線形化された信号をアナログ信号に変換する。アップコンバータ５は、アナログ信号をＲＦ信号にアップコンバートする。パワーアンプ６は、アップコンバートされた信号を増幅し、無線信号として外部に出力する。
【００１５】
図２は、本発明の実施形態に係るピーク抑圧装置の構成を示す図である。ピーク抑圧装置２は、入力信号ＩＮの波形のピーク値を判定するピーク判定部１１と、ピーク値の絶対値が所定値（ピーク抑圧設定値Ａ）より大きい場合にピーク値と所定値との差分に応じたインパルス信号を発生させるインパルス信号発生部１２と、発生したインパルス信号に所定のインパルス応答波形を乗算してピーク抑圧信号を生成する乗算部１３と、ピーク抑圧信号を入力信号から差し引く減算部１４と、を備える。減算部１４は、減算結果を出力信号ＯＵＴとして出力する。
【００１６】
また、ピーク判定部１１は、入力信号の波形の絶対値が所定の時間幅内で最も大きくなる値をピーク値として判定することが好ましい。
【００１７】
さらに、所定のインパルス応答波形は、入力信号の帯域に対応した一連の係数を有することが好ましい。このような係数は、入力信号の複数の帯域にそれぞれ対応した複数組からなり、複数組の一つを外部から選択可能とされる。すなわち、ピーク抑圧装置２は、係数設定部１５を備え、係数設定部１５は、入力信号の帯域に応じた係数を有するインパルス応答波形を係数選択信号（タップセレクト信号）ＳＬに基づいて選択して乗算部１３に与える。このように、ピーク抑圧信号波形となるインパルス応答波形は、あらかじめメモリ等に保持されたものを使う。ピーク抑圧信号波形に、ピーク抑圧設定値Ａと入力信号ＩＮの波形のピーク信号の差から計算される一定値を乗算するだけでピーク抑圧信号を算出する。ピーク抑圧信号は帯域制限されているので、再度フィルタリングする必要がない。このため、帯域制限を行うフィルタが不要であって回路規模を抑えることができる。
【００１８】
従来技術によれば、例えば一度ピーク抑圧した波形に帯域外のスペクトラムが含まれていた場合、ピーク抑圧した波形に帯域制限フィルタをかけると、ピークが再生する場合がある。波形を変形させてピークを抑圧した後、フィルタによって平滑化すると、ピークにあたる山の部分が再生してしまう虞がある。これに対し、本発明のピーク抑圧装置２では、ピークが連続しない限りは、ピークの抑圧は狙い通りの値になる。このため、ピークを狙い通り抑圧するために多段の構成にする必要が少なく装置の構成が簡単になる。
【００１９】
以上のように本発明のピーク抑圧装置２によれば、複雑なフィルタが必要でない点、また、ピークの抑圧効果がほぼ設定値どおりになるという点で、従来の問題を解決している。
【実施例１】
【００２０】
図３は、本発明の第１の実施例に係るピーク抑圧装置の構成を示すブロック図である。図３において、図２と同一の符号は同一物を表す。【００２１】
ピーク判定部１１は、入力信号ＩＮ（値ｘｎ）である複素信号データを、インパルス信号発生部１２中の遅延回路２１および絶対値回路２２を介して入力し、設定されたクリッピングレベルＡと比較する。より具体的には、ピーク判定部１１は、入力信号ｘｎが時間的に前後の信号ｘｎ−１、ｘｎ−２、ｘｎ＋１、ｘｎ＋２と比較して大きくかつ、クリッピングレベルＡ（ピーク抑圧設定値Ａ）より高い場合には、１を出力し、それ以外は０を出力する。なお、ここでは前後の２つの信号と比較しているが、これに限定されず比較対象を所定の時間幅内の波形としてよい。【００２２】
インパルス信号発生部１２は、遅延回路２１、絶対値回路２２、減算器２３、除算器２４、乗算器２５、２６を備える。遅延回路２１は、入力信号ＩＮを遅延し、絶対値回路２２および乗算器２５に出力する。絶対値回路２２は、遅延回路２１の出力の値の絶対値を求め、減算器２３、除算器２４、ピーク判定部１１に出力する。減算器２３は、絶対値回路２２の出力からクリッピングレベルＡを減算し、減算結果を除算器２４に出力する。除算器２４は、減算器２３の出力を絶対値回路２２の出力で除算し、除算結果を乗算器２５に出力する。【００２３】
上述のような回路構成において、乗算器２５は、入力信号ＩＮ（値ｘｎ）に対して、ｘｎ・（｜ｘｎ｜−Ａ）／｜ｘｎ｜を計算する。乗算器２６は、乗算器２５の除算結果にピーク判定部１１の出力を乗算し、元の複素信号のピークの位置に、インパルス信号を発生させる。発生したインパルス信号は、振幅に関してクリッピングレベルＡを超えた分の大きさを持ち、位相に関して元のピーク信号と同じになる。【００２４】
乗算部１３は、インパルス信号発生部１２が出力するインパルス信号に、複素数によって表されるタップ係数器Ａ０〜Ａ２ｎの出力をそれぞれ乗算器Ｍ０〜Ｍ２ｎによって複素乗算する。それぞれのタップ係数は、セレクタ信号ＳＬによって選択可能で、合成ができるようになっている。【００２５】
減算部１４は、タップ係数をかけた後、信号を時系列に並べて波形を生成すると共に、生成した波形を元の入力信号ＩＮの波形から差し引く。具体的には、入力信号ＩＮをフリップフロップＴ１〜Ｔ２ｎ（ディレイライン）に通すと共に、フリップフロップＴ１〜Ｔ２ｎのそれぞれの入力端およびフリップフロップＴ２ｎの出力端にそれぞれ減算器Ｓ０〜Ｓ２ｎを設ける。減算器Ｓ０〜Ｓ２ｎは、入力信号ＩＮおよびフリップフロップＴ１〜Ｔ２ｎの出力信号のそれぞれに対し、タップ係数をかけた信号（インパルス応答信号）を差し引く。この際に、タップの中央のタップ係数器Ａｎの出力が掛け合わされた信号が、入力信号ＩＮのピークの位置と同じタイミングに一致するように、すなわち減算器Ｓｎで減算がなされるように全体の遅延をあわせておく。具体的には、フリップフロップＴ１〜Ｔｎの遅延時間に相当するように遅延回路２１の遅延時間を設定する。【００２６】
次に、タップ係数器Ａｊ（ｊ＝０〜２ｎ）について説明する。ここでは、係数設定部１５において、図４に示すように、４波合成信号に対応できるように、タップ係数は、４種類が用意され、係数選択信号ＳＬによって動作するスイッチＳＷによって選択される。４種類のタップ係数Ａｊ＿ａ、Ａｊ＿ｂ、Ａｊ＿ｃ、Ａｊ＿ｄ（ｎ＝０〜２ｎ）は、４つのバンド内それぞれに収まるように帯域制限されたインパルス応答信号に対応する。タップ出力は、スイッチＳＷで選択されたものが合成され、さらに、タップの中央値（最大値）が１になるように規格化されて出力される。【００２７】
タップ係数Ａｊ＿ａは、図５に示す帯域でインパルス信号を帯域制限したものに相当する。具体的には、周波数領域で図５の帯域を逆ＦＦＴした波形に対して、適当な窓関数をかけたものであって、図６に示すインパルス応答波形の各点に対応する。なお、ｆｓはサンプリング周波数である。【００２８】
同様に、タップ係数Ａｊ＿ｂは、図７に示す帯域でインパルスを帯域制限したものに相当し、図８に示すインパルス応答波形の各点に対応する。また、タップ係数Ａｊ＿ｃは、図９に示す帯域でインパルスを帯域制限したものに相当し、図１０に示すインパルス応答波形の各点に対応する。さらに、タップ係数Ａｊ＿ｄは、図１１に示す帯域でインパルスを帯域制限したものに相当し、図１２に示すインパルス応答波形の各点に対応する。それぞれの波形は、タップ中央で１となるように規格化されている。これらの信号に対してＦＦＴをかけた得た周波数特性は、窓関数の影響で帯域が若干広がり、図１３に示すようになる。【００２９】
本実施例のピーク抑圧装置は、乗算部１３で生成されるインパルス応答信号を元の入力信号ＩＮから差し引くことによってピーク抑圧を行うので、ピーク抑圧によって帯域外に不要な信号が発生することが抑制される。ピーク抑圧のための信号は、元の入力信号ＩＮの振幅をｘとすると、初めにｘ・（｜ｘ｜−Ａ）／｜ｘ｜のインパルス信号をつくり、それに前述のタップ係数をかけることでインパルス応答信号を生成する。生成されたインパルス応答信号は、振幅がクリッピングレベルＡを超えた分の大きさを持ち、位相はもとのピーク信号と同じである。そこで、インパルス信号にタップ係数をかけて、もとの信号から差し引くと、タップ係数の中央値は１であるので、出力信号ＯＵＴの振幅は、調度ピークにあたる点において、クリッピングレベルＡに等しくなるまで落ちることになる。
【実施例２】
【００３０】
図１４は、本発明の第２の実施例に係るピーク抑圧装置の構成を示すブロック図である。図１４において、図２に示すピーク抑圧装置を２段直列接続して、処理を繰り返し行っている。図２に示すピーク抑圧装置では、ピークの抑圧のために生成した信号を元の入力信号ＩＮから差し引く際に、入力信号ＩＮの波形によっては前後の信号の振幅を逆に増加させてしまい、新たなピークを発生させる可能性が残される。このため、複数段のピーク抑圧装置を直列接続することで、ピーク抑圧効果をさらに確実に行うことができる。【００３１】
なお、本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００３２】
１  ベースバンド信号発生器
２  ピーク抑圧装置
３  プリディストーション部
４  ＤＡ変換器
５  アップコンバータ
６  パワーアンプ
１１  ピーク判定部
１２  インパルス信号発生部
１３  乗算部
１４  減算部
１５  係数設定部
２１  遅延回路
２２  絶対値回路
２３、Ｓ０〜Ｓ２ｎ  減算器
２４  除算器
２５、２６、Ｍ０〜Ｍ２ｎ  乗算器
Ａ０〜Ａ２ｎ  タップ係数器
ＳＷ  スイッチ
Ｔ１〜Ｔ２ｎ  フリップフロップ
【図１】
2010061914.tif 000003
【図２】
2010061914.tif 000004
【図３】
2010061914.tif 000005
【図４】
2010061914.tif 000006
【図５】
2010061914.tif 000007
【図６】
2010061914.tif 000008
【図７】
2010061914.tif 000009
【図８】
2010061914.tif 000010
【図９】
2010061914.tif 000011
【図１０】
2010061914.tif 000012
【図１１】
2010061914.tif 000013
【図１２】
2010061914.tif 000014
【図１３】
2010061914.tif 000015
【図１４】
2010061914.tif 000016
【手続補正書】
【提出日】平成23年5月25日(2011.5.25)
【手続補正１】
【補正対象書類名】特許請求の範囲
【補正対象項目名】全文
【補正方法】変更
【補正の内容】
【特許請求の範囲】
【請求項１】
入力信号の波形のピーク値を判定するピーク判定部と、
前記ピーク値の絶対値が所定値より大きい場合に前記ピーク値と前記所定値との差分に応じたインパルス信号を発生させるインパルス信号発生部と、
発生した前記インパルス信号に所定のインパルス応答波形を乗算してピーク抑圧信号を生成する乗算部と、
前記ピーク抑圧信号を前記入力信号から差し引く減算部と、
を備えることを特徴とするピーク抑圧装置。
【請求項２】
前記ピーク判定部は、前記入力信号の波形の絶対値が所定の時間幅内で最も大きくなる値を前記ピーク値として判定することを特徴とする請求項１記載のピーク抑圧装置。
【請求項３】
前記所定のインパルス応答波形は、前記入力信号の帯域に対応した一連の係数を有することを特徴とする請求項１記載のピーク抑圧装置。
【請求項４】
前記係数は、前記入力信号の複数の帯域にそれぞれ対応した複数組からなり、複数組の一つを外部から選択可能とされることを特徴とする請求項３記載のピーク抑圧装置。
【請求項５】
請求項１乃至４のいずれか一に記載のピーク抑圧装置を多段に直列接続したことを特徴とするピーク抑圧装置。
【請求項６】
請求項１乃至５のいずれか一に記載のピーク抑圧装置を備える送信機。
【請求項７】
入力信号の波形のピーク値を判定するステップと、
前記ピーク値の絶対値が所定値より大きい場合に前記ピーク値と前記所定値との差分に応じたインパルス信号を発生させるステップと、
発生した前記インパルス信号に所定のインパルス応答波形を乗算してピーク抑圧信号を生成するステップと、
前記ピーク抑圧信号を前記入力信号から差し引くステップと、
を含むことを特徴とするピーク抑圧方法。
【請求項８】
前記判定するステップは、前記入力信号の波形の絶対値が所定の時間幅内で最も大きくなる値を前記ピーク値として判定することを特徴とする請求項７記載のピーク抑圧方法。
【請求項９】
前記所定のインパルス応答波形は、前記入力信号の帯域に対応した一連の係数を有することを特徴とする請求項７記載のピーク抑圧方法。
【請求項１０】
前記係数は、前記入力信号の複数の帯域にそれぞれ対応した複数組からなり、複数組の一つを外部から選択可能とされることを特徴とする請求項９記載のピーク抑圧方法。
【国際調査報告】
2010061914.tif 000017
2010061914.tif 000018
2010061914.tif 000019
2010061914.tif 000020